(57)【特許請求の範囲】
【請求項１】
（ｉ）少なくとも一つのアナログ時計の針による時間情報のディスプレイのためのアナログディスプレイ、及び（ｉｉ）デジタルディスプレイ上で少なくとも現在時刻をディスプレイするための少なくとも一つのデジタル時計の針を有するデジタルディスプレイと、
遠隔供給源から現在時刻を示す現在時刻情報データを受信するための受信機と、
前記受信機と動作可能に結合された制御器であって、前記遠隔供給源から受信された現在時刻情報データをプロセスして現在時刻として前記デジタルディスプレイ上で少なくとも一つのデジタル時計の針によってディスプレイされるように前記現在時刻情報データを提供する制御器と、
少なくとも一つのアナログ時計の針が少なくとも一つのデジタル時計の針と一致するまで、少なくとも一つのアナログ時計の針を回転させるためのアナログ時計の針の回転装置と、を含み、
それによって少なくとも一つのアナログ時計の針と少なくとも一つのデジタル時計の針の一致が、少なくとも一つのアナログ時計の針が現在時刻情報と同期化されることを示す、ウェアラブル電子装置。
【請求項２】
前記アナログ時計の針の回転装置は、回転竜芯、並びに（ｉ）前記回転竜芯及び（ｉｉ）少なくとも一つのアナログ時計の針に動作可能に結合される少なくとも一つの回転ギアを含み、前記竜芯の回転によって少なくとも一つのアナログ時計の針の回転が誘発される、請求項１に記載のウェアラブル電子装置。
【請求項３】
前記アナログ時計の針の回転装置は、
前記制御器に動作可能に結合された作動機構であって、少なくとも一つのアナログ時計の針を時計方向または反時計方向に回転させる、作動機構と、
前記制御器に動作可能に結合される設定機構であって、前記設定機構は第１電気パルス及び第２電気パルスを選択的に生成し、前記第１及び第２電気パルスは前記制御器によって受信され、これは再び前記作動機構が前記第１及び第２電気パルスに応答して少なくとも一つのアナログ時計の針を時計方向または反時計方向に回転させるようにする、設定機構と、を含む、請求項１に記載のウェアラブル電子装置。
【請求項４】
前記設定機構は、回転可能な設定機構であり、前記設定機構の第１方向への回転は第１電気パルスを生成して前記回転可能な設定機構の第２方向への回転は第２電気パルスを生成する、請求項３に記載のウェアラブル電子装置。
【請求項５】
（ｉ）少なくとも一つのアナログ時計の針による時間情報のディスプレイのためのアナログディスプレイ、及び（ｉｉ）デジタルディスプレイ上に少なくとも現在時刻をディスプレイするための少なくとも一つのデジタル時計の針を有するデジタルディスプレイと、
現在時刻情報を維持して現在時刻として前記デジタルディスプレイ上で少なくとも一つのデジタル時計の針によってディスプレイされるように前記現在時刻情報を提供する制御器と、
少なくとも一つのアナログ時計の針が少なくとも一つのデジタル時計の針と一致するまで、少なくとも一つのアナログ時計の針を回転させるためのアナログ時計の針の回転装置と、を含み、
それによって少なくとも一つのアナログ時計の針と少なくとも一つのデジタル時計の針の一致が、少なくとも一つのアナログ時計の針が現在時刻情報と同期化されたことを示す、ウェアラブル電子装置。
【請求項６】
前記アナログ時計の針の回転装置は、回転竜芯、並びに（ｉ）前記回転竜芯に、及び（ｉｉ）少なくとも一つのアナログ時計の針に、動作可能に結合される少なくとも一つの回転ギアを含み、前記竜芯の回転によって少なくとも一つのアナログ時計の針の回転が誘発される、請求項５に記載のウェアラブル電子装置。
【請求項７】
前記アナログ時計の針の回転装置は、
前記制御器に動作可能に結合された作動機構であって、少なくとも一つのアナログ時計の針を時計方向または反時計方向に回転させる、作動機構と、
前記制御器に動作可能に結合される設定機構であって、前記設定機構は第１電気パルス及び第２電気パルスを選択的に生成し、前記第１及び第２電気パルスは前記制御器によって受信され、これは再び前記作動機構が前記第１及び第２電気パルスに応答して少なくとも一つのアナログ時計の針を時計方向または反時計方向に回転させるようにする、設定機構と、を含む、請求項５に記載のウェアラブル電子装置。
【請求項８】
前記設定機構は、回転可能な設定機構であり、前記設定機構の第１方向への回転は第１電気パルスを生成して前記回転可能な設定機構の第２方向への回転は第２電気パルスを生成する、請求項７に記載のウェアラブル電子装置。
【請求項９】
前記デジタルディスプレイは前記アナログディスプレイの上に配置され、少なくとも一つのアナログ時計の針が少なくとも一つのデジタル時計の針と一致するとき、少なくとも一つのデジタル時計の針が少なくとも一つのアナログ時計の針に重なって見える、請求項１に記載のウェアラブル電子装置。
【請求項１０】
前記デジタルディスプレイは、前記アナログディスプレイの上に配置され、少なくとも一つのアナログ時計の針が少なくとも一つのデジタル時計の針と一致するとき、少なくとも一つのデジタル時計の針が少なくとも一つのアナログ時計の針に重なって見える、請求項５に記載のウェアラブル電子装置。
【請求項１１】
前記デジタルディスプレイは、前記アナログディスプレイの下に配置され、少なくとも一つのアナログ時計の針が少なくとも一つのデジタル時計の針と一致するとき、少なくとも一つのアナログ時計の針が少なくとも一つのデジタル時計の針に重なって見える、請求項１に記載のウェアラブル電子装置。
【請求項１２】
前記デジタルディスプレイは、前記アナログディスプレイの下に配置され、少なくとも一つのアナログ時計の針が少なくとも一つのデジタル時計の針と一致するとき、少なくとも一つのアナログ時計の針が少なくとも一つのデジタル時計の針に重なって見える、請求項５に記載のウェアラブル電子装置。
【請求項１３】
ダイヤルを含み、前記ダイヤル自体がデジタルディスプレイであり、少なくとも一つのアナログ時計の針が少なくとも一つのデジタル時計の針と一致するとき、少なくとも一つのアナログ時計の針が少なくとも一つのデジタル時計の針に重なって見える、請求項１に記載のウェアラブル電子装置。
【発明の詳細な説明】
【背景技術】
【０００１】
本発明は一般的にウェアラブル電子装置に関するものであって、特に少なくとも一つの表示子（例えば、時計の針）による時間情報の表示のためのアナログディスプレイ、及びデジタルディスプレイ上で少なくとも現在時刻を表示するための少なくとも一つのデジタル表示子を有するデジタルディスプレイを有するウェアラブル電子装置に関するものであって、デジタルディスプレイはアナログディスプレイの表示子の同期を助けるために利用される。
【０００２】
一般的に、第１タイプの多くの電子式アナログ時計において、マイクロ制御器は、表示子（例えば、時針及び／又は分針）が位置されたところを常に正確に“分かっている”わけではない。このような第１タイプの時計は一般的に石英アナログ時計である。誤って認識される“問題”の分かりやすい例は、（例えば）時計の針を調整するためにユーザーが機械的竜頭（ｃｒｏｗｎ）を引き抜くような第１タイプの時計で見ることができる。時針及び分針の位置を調整するために（即ち、表示される時間を調整するために）竜頭が抜かれて及び／又は回転されてしまえば、マイクロ制御器は時計の針がどこに位置するのかもはや“分からない”。従って、このような石英アナログタイプ及び構成の従来型のアナログ時計では、指示または信号が与えられる時間に時計が現在時刻を既に正確にディスプレイしていなければ、内部または外部信号等を通じて、時計がその時計の針を初期位置から午後３：００まで移動させるための信号伝達（ｓｉｇｎａｌｉｎｇ）はなされないはずである。即ち、例えば、マイクロ制御器は、時計の針が午後２：００にあるものと“思うが”先に手動で午後１：３０に調整された場合は、認識された午後３：００まで時計がその針を一（１）時間先に移動させても依然として時計の針は不正確に位置していることになる。即ち、時計の針は要請された設定から１／２時間ほど外れる。
【０００３】
別の言い方をすれば、“時間調整”と“時計の針の同期”の間には重要な違いがあり、時間調整の例が従来技術でより広く拡散されている。即ち、このような第１タイプの時計上の表示子の時計の針が、マイクロ制御器が時計の針が位置していると信じているところに、正確に位置している場合（即ち、表示子の時計の針が現在時刻を示す場合）に限り、“時間調整”が正確であり得る。言い換えれば、現在の技術水準では、このような第１タイプの時計内部のマイクロ制御器が時間はＸであると信じているが、時計の針の実際の位置が時間Ｙを示している（即ち、Ｘ及びＹが異なる時間である）とき／場合に、そのような状況を適切に考慮していない。このような後者の状況においては、時計の針が正確な時刻に同期されるように、本発明による“時計の針の同期”が実行されなければならない。
【０００４】
他方で、表示子の時計の針がマイクロ制御器に常に電子的に結合される第２タイプの時計があり、その例が“電気設定（ｅｌｅｃｔｒｏｓｅｔ）”タイプの時計として知られている。そのような時計は必ずこのような認識欠陥を有してはいない。
【０００５】
アナログラジオ制御型時計がさらに第３タイプの時計として着想できる。ここで、マイクロ制御器は時計の針の位置を“分かって”、周期的に、時計の受信機が現地時間を取得することができる。ゆえに、このような第３タイプの時計では、時計の針の位置の誤差を周期的に矯正することができる。よって、このようなタイプの時計は、時計と実際の時間との間を同期させることができる。
【０００６】
図１４に図示されたタイプのデジタル及びアナログ時計の組合せもまた知られているが、自明性のために述べると、そのような時計もまた本願で説明するような容易な時計の針の同期化を提供することができない。
【０００７】
本発明は主に第１タイプの時計のアナログディスプレイの時計の針の同期化自体に関するものであるが、当技術分野で理解されるように、本発明はこのような他のタイプの時計にも適用されることができる。
【０００８】
より具体的には、現在の技術水準からのさらなる発展が望まれ、かつ、達成しうるものと思われる。特に、アナログディスプレイ上の正確な現在時刻情報と時間調整のし易さをさらに容易でかつ正確に提供するために、時計の針の同期機能を時計に提供することが求められている。また、前述した機能を実現するための手段を提供することも求められている。
【発明の概要】
【発明が解決しようとする課題】
【０００９】
ゆえに、本発明は、従来技術において認識されていた欠陥を克服することを目的とする。
【００１０】
具体的には、本発明は、アナログ時計の針を正確な時刻に同期させることを可能にする、ウェアラブル電子装置内の時計の針の同期機能をユーザーに提供することを目的とする。
本発明のさらに他の目的は、前述したことを実行するための及び／又は容易にするための手段を提供するものである。
本発明のさらに他の目的及び利点は、図面及び以下の説明の考慮からより明確になる。
【課題を解決するための手段】
【００１１】
よって、本発明は、以下に述べる構成、描写及び説明で例示される、構成、要素の組合せ、部品の配列及びステップのシーケンスに関する特徴を含み、本発明の範囲は請求の範囲で表示される。
【００１２】
それによって、従来技術の認識欠陥を克服するため、また前述及び後述された目的及び長所を達成するために、本発明の好ましい実施形態は、一般的に、（ｉ）少なくとも一つのアナログ時計の針による時間情報の表示のためのアナログディスプレイ、及び（ｉｉ）デジタルディスプレイ上で少なくとも現在時刻をディスプレイするための少なくとも一つのデジタル時計の針を有するデジタルディスプレイと、遠隔供給源から現在時刻を示す現在時刻情報データを受信するための受信機と、受信機と動作可能に結合された制御器であって、遠隔供給源から受信された現在時刻情報データをプロセスして現在時刻としてデジタルディスプレイ上で少なくとも一つのデジタル時計の針によってディスプレイされるように現在時刻情報データを提供する、制御器と、少なくとも一つのアナログ時計の針が少なくとも一つのデジタル時計の針と一致（ａｌｉｇｎｍｅｎｔ）するときまで、少なくとも一つのアナログ時計の針を回転させるためのアナログ時計の針の回転装置（ｒｏｔａｔｉｎｇ  ａｒｒａｎｇｅｍｅｎｔ）とを含み、それによって少なくとも一つのアナログ時計の針と少なくとも一つのデジタル時計の針の一致が、少なくとも一つのアナログ時計の針が現在時刻情報と同期されたことを示す、ウェアラブル電子装置に関するものである。
【００１３】
他の好ましい実施形態において、ウェアラブル電子装置は、（ｉ）少なくとも一つのアナログ時計の針による時間情報のディスプレイのためのアナログディスプレイ、及び（ｉｉ）デジタルディスプレイ上に少なくとも現在時刻をディスプレイするための少なくとも一つのデジタル時計の針を有するデジタルディスプレイと、現在時刻情報を維持して現在時刻としてデジタルディスプレイ上で少なくとも一つのデジタル時計の針によってディスプレイされるように現在時刻情報を提供する制御器；少なくとも一つのアナログ時計の針が少なくとも一つのデジタル時計の針と一致するまで、少なくとも一つのアナログ時計の針を回転させるためのアナログ時計の針の回転装置と、を含み、それによって少なくとも一つのアナログ時計の針と少なくとも一つのデジタル時計の針の一致が、少なくとも一つのアナログ時計の針が現在時刻情報と同期されたことを示す。
好ましい実施形態において、電子装置は腕時計形態の時計類（ｔｉｍｅｐｉｅｃｅ）である。
【００１４】
本発明の前述したそして他の特徴は添付図面と共に読む時、以下の好ましい実施形態に関する説明でさらに明確になる。
【図面の簡単な説明】
【００１５】
【図１】図１は、本発明の第１の好ましい実施形態に係るウェアラブル電子装置を図示したものであり、デジタルディスプレイ組立体はアナログディスプレイ組立体の上に設けられる。
【図２】図２は、図１の好ましい実施形態として構成されたウェアラブル電子装置の横断面図である。
【図３】図３は、本願で開示された全ての実施形態によって構成されたウェアラブル電子装置のためのムーブメント組立体（ｍｏｖｅｍｅｎｔ  ａｓｓｅｍｂｌｙ）内の例示的なギアリング及びモーターの斜視図である。
【図４】図４は、アナログ時間表示子を回転させるための例示的な作動機構（ａｃｔｕａｔｉｏｎ  ｍｅｃｈａｎｉｓｍ）及びギア組立体（ｇｅａｒ  ａｓｓｅｍｂｌｙ）を図示したものである。作動機構及びギア組立体のこうした例は、本願の全ての実施形態に適用されることができる。ギア組立体は線で図示されているが、当業者は、例えば図１及び図８のディスプレイを作るためには、こうした組立体をどのように編成すればよいか明確に理解できるはずである。
【図５】図５は、本発明の全ての好ましい実施形態として構成されたウェアラブル電子装置に使用するための制御器などを図示したブロック図である。その１
【図６】図６は、本発明の全ての好ましい実施形態として構成されたウェアラブル電子装置に使用するための制御器などを図示したブロック図である。その２
【図７】図７は、本発明の全ての好ましい実施形態として構成されたウェアラブル電子装置に使用するための制御器などを図示したブロック図である。その３
【図８】図８は、本発明の他の好ましい実施形態に係るウェアラブル電子装置を図示したものであり、デジタルディスプレイ組立体はアナログディスプレイ組立体の下に設けられる。
【図９】図９は、図８の好ましい実施形態として構成されたウェアラブル電子装置の横断面図である。
【図１０】図１０は、本願で開示された時計の針の同期機能及び手段を実行するためのステップのシーケンスを図示した、本発明の全ての実施形態によって構成されたウェアラブル電子装置を図示し、図１０、図１２は図１、図２に図示されたようなウェアラブル電子装置を示す一方、図１１、図１３は図８、図９で図示されたようなウェアラブル電子装置を示す。その１
【図１１】図１１は、本願で開示された時計の針の同期機能及び手段を実行するためのステップのシーケンスを図示した、本発明の全ての実施形態によって構成されたウェアラブル電子装置を図示し、図１０、図１２は図１、図２に図示されたようなウェアラブル電子装置を示す一方、図１１、図１３は図８、図９で図示されたようなウェアラブル電子装置を示す。その２
【図１２】図１２は、本願で開示された時計の針の同期機能及び手段を実行するためのステップのシーケンスを図示した、本発明の全ての実施形態によって構成されたウェアラブル電子装置を図示し、図１０、図１２は図１、図２に図示されたようなウェアラブル電子装置を示す一方、図１１、図１３は図８、図９で図示されたようなウェアラブル電子装置を示す。その３
【図１３】図１３は、本願で開示された時計の針の同期機能及び手段を実行するためのステップのシーケンスを図示した、本発明の全ての実施形態によって構成されたウェアラブル電子装置を図示し、図１０、図１２は図１、図２に図示されたようなウェアラブル電子装置を示す一方、図１１、図１３は図８、図９で図示されたようなウェアラブル電子装置を示す。その４
【図１４】図１４は、従来技術の組み合わされたアナログ及びデジタル時計の例である。全ての図面内の全ての特徴部（ｆｅａｔｕｒｅ）に参照番号が付与されているわけではないが、図面で同一の参照番号は類似の部品を指し示すものである。
【発明を実施するための形態】
【００１６】
まず、図１及び図２は、ウェアラブル電子装置がアナログディスプレイ組立体の上に提供されたデジタルディスプレイ組立体を含む、本発明の第１の好ましい一般的な実施形態に多少特定されたものであることを理解しなければならない。図８及び図９は、デジタルディスプレイ組立体がアナログディスプレイ組立体の下に設けられる、本発明の好ましい一般的な実施形態に多少特定される。図３〜図７は、本願で開示された全ての実施形態に共通する特徴、機能及び構成を図示する一方、図８〜図１３は本願の全ての実施形態にまた共通する手段の特徴を図示する。
【００１７】
まず、デジタルディスプレイ組立体がアナログディスプレイ組立体の上に設けられた、本発明の第１実施形態によって構成された、１０で全体的に表示された、ウェアラブル電子装置を図示した図１及び図２を参照する。このような実施形態によって、電子ディスプレイ（１０）は、特に限定されないが、例えばＬＣＤまたはＯＬＥＤタイプが好ましく、デジタルディスプレイ（２４）を含む、全体として２０で表されるデジタルディスプレイ組立体を含む。全体として３０で表されるアナログディスプレイ組立体はケースまたはハウジング（３２）内にある状態で提供される。全体として３４で表されるアナログディスプレイは、アナログディスプレイ組立体（３０）の部品である。本発明のアナログディスプレイ（３４）は、前述した第１タイプの時計、即ち、一般的に石英アナログタイプの時計の部品であるが、これは例示であって特に限定されない。
【００１８】
デジタルディスプレイ組立体（２０）がアナログディスプレイ（３４）の上に置かれる実施形態においては、アナログディスプレイを利用して時間情報を容易にディスプレイする一方、さらに本発明による時計の針の同期のためにいつでもデジタルディスプレイをスイッチオン及びオフできることが好ましく、かつ可能である。デジタルディスプレイ組立体（２０）を介してアナログディスプレイを見ることができる能力を観察者に提供するデジタルディスプレイを提供する機能が米国特許第６，６７１，２３１号に説明されているものと思われ、そのような米国特許の請求対象はその全体が記述されたように本願で参照として含まれる。しかしながら、読者の便宜のために、以下で説明する。
【００１９】
図２を参照すると、デジタルディスプレイ組立体（２０）には、アナログディスプレイ（３４）とクリスタル（２２）との中間にあるデジタルディスプレイ（２４）が含まれる。好ましい実施形態において、デジタルディスプレイ（２４）は、アナログディスプレイ（３４）のダイヤル（３５）の表面全体を覆っていることが好ましい。第１スイッチング状態においてデジタルディスプレイ（２４）が透明であることにより、アナログディスプレイ組立体（３０）によって表示される時間情報、即ち、時計の針（３６、３８）が見られるように、デジタルディスプレイ組立体（２０）が配列される。一方で、アナログディスプレイを表示させながら、デジタルディスプレイ（２４）がまた第２スイッチング状態で一つ以上のデジタル表示子（例えば、デジタル時間及び／又は分時計の針（２６Ａ、２６Ｂ））を表示することができるように、デジタルディスプレイ組立体（２０）が配列される。デジタルディスプレイはまた、希望する場合にはアナログディスプレイのディスプレイを完全に遮断することができるように構成されてもよいが、このような後者の状態は本発明において重要ではない。
【００２０】
デジタルディスプレイ（２４）を第１状態と、デジタル時計の針が見えているときに下側のアナログディスプレイが依然として見える第２状態との間で（そして状態の間で反対に）切り替えることは、全体的に１００で表示されたマイクロ制御器によって行うことができ、デジタルディスプレイ（２４）に対する動作的な結合は適切な制御電圧及び信号伝達をデジタルディスプレイ（２４）に供給する従来のコネクタによって行うことができる。
【００２１】
本発明の例示的な実施形態において、デジタルディスプレイ（２４）はツイスティッドネマチック（ｔｗｉｓｔｅｄ  ｎｅｍａｔｉｃ）タイプの液晶セルであってもよい。デジタルディスプレイ組立体（２０）は、また透明な前方基材、透明な後方基材、及び密封フレームを有していてもよく、内部の閉鎖空洞内には液晶の層が設けられる。例えば、基材の対向面は、例えばインジウム／スズ酸化物で製造された透明電極を含んでもよい。言うまでもなく、第１スイッチング状態でデジタルディスプレイ（２４）が透明であれば、また第２スイッチング状態でデジタルディスプレイ（２４）の時計の針（２６Ａ、２６Ｂ）が不透明であって反射的または拡散的であると、デジタルディスプレイ（２４）は他のタイプになり得る。デジタルディスプレイ（２４）上のデジタル時間のディスプレイを制御するために、マイクロ制御器（１００）をプログラミングして配列する方法が当技術分野でよく知られている。また、デジタルディスプレイ（２４）がアナログディスプレイの表示を完全に遮断する追加的な状態がそれによって当業者に知られている。
【００２２】
本発明の好ましい実施形態において、時計の針の同期の特徴は時間情報（例えば、“一日中の時間（ｔｉｍｅ  ｏｆ  ｄａｙ）”）と関連して実行されることができるが、他の時間情報をデジタルディスプレイ（２４）によってディスプレイすることができ、それによって本願に開示された構成及び手段によるその時計の針の同期化を等しく適用することができる。また、デジタルディスプレイ（２４）上でディスプレイされる心拍数、ムーンフェーズ（ｍｏｏｎｐｈａｓｅ）、及び高度表示、または他のタイプの情報をさらに本願によって提供することができ、それによってアナログディスプレイ（３４）の表示子（例えば、時計の針）を実際のまたは現在の値または表示に同期化することができる機能がデジタルディスプレイ上で示される。
【００２３】
アナログディスプレイ組立体（３０）と関連し、その構成がまた当業者に知られている。例えば、アナログディスプレイ（３４）を含む、アナログディスプレイ組立体（３０）の好ましい構成が、“多重ディスプレイ機能を有するウェアラブル電子装置（Ｗｅａｒａｂｌｅ  Ｅｌｅｃｔｒｏｎｉｃ  Ｄｅｖｉｃｅ  Ｗｉｔｈ  Ｍｕｌｔｉｐｌｅ  Ｄｉｓｐｌａｙ  Ｆｕｎｃｔｉｏｎａｌｉｔｙ）”との名称の米国特許第７，１１３，４５０号に開示されており、そのような米国特許の請求対象はまた完全に記述されたように本願に含まれる。それによって、本開示内容は、簡潔のために、アナログ時計類の構成と関連した特定の基本的でかつ非常によく知られている概念を省略する。例えば、時針及び分針のように、中央竜芯（ｓｔｅｍ）上で全てが支持される複数の“標準的な”時計の針を回転させるためのギア及び／又はギアトレーンの基本的な構成及び配列が省略されるが、これは当業者の範囲内に十分に含まれるためである。
【００２４】
しかしながら、完全を期するため、以下のことが読者の便宜のために説明される。本願で記述された及び／又は考慮された全ての機能を実行するために、ウェアラブル電子装置（１０）は、少なくとも一つの下位組立体を備えることができ、それぞれの下位組立体は少なくとも一つの作動機構及びそのような作動機構と回転可能に結合される少なくとも一つのギアを含むことができ、作動機構の作動は少なくとも一つのギアを回転させる。図面に示されたように、好ましい作動機構はステッパーモーターである。理解することができるように、分針及び時針だけの回転には一つのステッパーモーター（例えば、Ｍ１）だけを必要とする。図面は単純に設計上の選択の問題として、付加的なモーターを図示しているが、そのようなモーターは付加的な表示部、時計の針、リングまたはその他を回転させるために利用されうる。当業者がまた理解することができるように、そのようなモーターの具体的な位置は設計上の選択の問題であり、場合によって、空間、動力及びトルク要件そしてディスプレイ時計の針及び／又はリングの希望位置のような制約によって定められる。配置された時、当業者が理解することができるように、それぞれのモーターがそれぞれのピニオンを回転させる。それによって、これから、本願において例を示しながら説明するように、モーター（Ｍ１）は少なくとも時針（３６）及び分針（３８）を公知の方式で回転させるようになっていることを理解しなければならない。図３、図４はまたモーター（Ｍ１）の回転子によって生成された回転運動を時計の針（３６、３８）に伝達するためのギアトレーンを図示し、図４の構成は当業者によって理解される。また、所望により、時計の針（３６、３８）は、別個のモーター（例えば、Ｍ１及びＭ２）によってそれぞれ個別に回転できることが理解できるはずである。
【００２５】
図５〜図７は、少なくとも一つのアナログディスプレイ時計の針を適切かつ正確に制御、配置及び回転させるためのマイクロ制御器（１００）の詳細部分を含む、本発明における多くの付加的な特徴を図示する。マイクロ制御器（１００）の多くの詳細部分は前述した米国特許第７，１１３，４５０号の制御器（１００）を参照することによって理解することができ、本発明に係るマイクロ制御器（１００）は、本発明の目的及び特徴を実行するために、本願で説明された全ての機能的特徴を含むことが好ましい。本願では、本発明における特定の付加的な機能がさらに開示される。
【００２６】
例えば、図５〜図７はモーター（Ｍ１）に対するインターフェースコネクタ、付加的なモーター（例えば、Ｍ２、Ｍ３及びＭ４）、そしてスイッチ（Ｓ１〜Ｓ５）として概略的に図示されたプッシャー（ｐｕｓｈｅｒ）等を図示する。しかしながら、スイッチがまた側面／上端部装着型プッシャー（１６０）だけではなく、側面装着型回転可能竜頭の全てを全般的に表示するためのものであり、それによってその作動行動（即ち、引き及び／又は押し）に応答するということが理解される。
【００２７】
図６及び図７は、マイクロ制御器（１００）を含んだ、ブロック図を図示する。命令された“次のパルスの数（ｎｅｘｔ  ｎｕｍｂｅｒ  ｏｆ  ｐｕｌｓｅｓ）”をＣＰＵコア（１０１）から受信して望んだモーター（例えば、Ｍ１）を望んだ量だけ望んだ方向に移動させるのに必要なパルス及び位相信号を生成する、モーター制御回路（１０９）を特に参照する。場合によって、モーター制御回路（１０９）のパルス出力は、モーター駆動部（ＭＤ１〜ＭＤ４）によってバッファリングされてそれぞれのモーター（Ｍｌ、Ｍ２、Ｍ３、Ｍ４）に印加される。入／出力制御回路（１１０）は任意の竜頭／竜芯作動及び／又は押しボタンスイッチ（Ｓｌ〜Ｓ５）を制御することができ、そのような信号伝達情報をＣＰＵ（１０１）に提供することができる。
【００２８】
当業者が理解することができるように、そして図面に例示的に示されたように、作動機構（例えば、ステッパーモーター（Ｍｌ、Ｍ２、Ｍ３及び／又はＭ４））は回転子を含み、マイクロ制御器（１００）に動作可能に結合され、ステッパーモーターはマイクロ制御器（１００）からの命令に応答して予め規定された増分（ｉｎｃｒｅｍｅｎｔ）で時計方向及び反時計方向のうち少なくとも一つに沿ってステッピングし、ステッパーモーターの回転子は少なくとも一つのアナログ時間表示子に動作可能に結合され、回転子の回転は時計方向及び反時計方向のうち少なくとも一つに沿ってそして予め規定された増分で少なくとも一つのアナログ時間表示子を回転させる。
【００２９】
好ましい実施形態において、ウェアラブル電子装置（１０）は、遠隔供給源から、現在時刻を示す現在時刻情報データを受信するための受信機（５０）をさらに含む。考慮される実施形態で、遠隔供給源は：例えば特に限定されないが、携帯電話基地局（ｃｅｌｌ  ｔｏｗｅｒ）、携帯電話、基地局または衛星のうち少なくとも一つであってもよい。受信機（５０）は、当業者が理解することができる方式でそのような遠隔供給源のうち少なくとも一つからそのような時間情報データを受信し、正確ではなくても類似に、そのような時間情報データがスマートフォンまたはその他によって受信される。
【００３０】
ウェアラブル電子装置（１０）では、マイクロ制御器（１００）が受信機（５０）に動作可能に結合されている。マイクロ制御器（１００）は、遠隔供給源から受信された現在時刻情報データを処理して現在時刻（例えば、装置（１０）が位置される地理学的位置における実際の時間）としてデジタルディスプレイ（２４）上に少なくとも一つのデジタル表示子（２６Ａ、２６Ｂ）によって表示されるように現在時刻情報データを提供する。
【００３１】
ウェアラブル電子装置（１０）はまた、少なくとも一つのアナログ時間表示子が少なくとも一つのデジタル表示子（２６Ａ及び／又は２６Ｂ）と一致するまで、少なくとも一つのアナログ時間表示子（例えば、時計の針（３６及び／又は３８）を回転させるための表示子回転装置を含む。このような方式では、少なくとも一つのアナログ時間表示子（例えば、時計の針（３６及び／又は３８）と少なくとも一つのデジタル表示子の整列は、少なくとも一つのアナログ時間表示子が同期化されたということそして正確な時刻を示しているということを示す。
【００３２】
一つの好ましい実施形態において、表示子回転装置は回転竜芯（６０）及び、線状図面（ｌｉｎｅａｒ  ｖｉｅｗ）であるが当業者が理解することができる図４に全般的に図示されたような少なくとも一つの回転ギアを含み、そのような回転ギアは回転竜芯（６０）及び少なくとも一つのアナログ時間表示子（例えば、時計の針（３６及び／又は３８））に動作可能に結合される。このような方式では、竜芯（６０）の回転によって時計の針（３６及び／又は３８）の回転が誘発される。このような具体的な実施形態の表示子回転装置は竜芯（６０）を機械的に引き抜くことによって、それによって時計の針（３６及び／又は３８）をマイクロ制御器（１００）から動作分離させることによって達成されることができる。
【００３３】
他の好ましい実施形態において、表示部回転装置は作動機構（例えば、ステッパーモーター（Ｍ１））、及び制御器（１００）に動作可能にかつ結合される、回転竜芯組立体の特徴部またはプッシャーのような、設定機構（ｓｅｔｔｉｎｇ  ｍｅｃｈａｎｉｓｍ）全てを利用し、設定機構の作動は第１電気パルス及び第２電気パルスを生成することができ、第１及び第２電気パルスはマイクロ制御器（１００）によって受信され、これは再び作動機構が第１及び第２電気パルスに応答して少なくとも一つのアナログ時間表示子を時計方向または反時計方向に回転させるようにする。そのようなことはプッシャー（１６０）（図１、図５参照）を利用して達成されることができる。代わりに、回転竜芯を利用し、さらに回転竜芯を第１方向に回転させることによって、第１電気パルスを生成することができ、反対方向の回転は第２電気パルスを生成することができ、第１及び第２電気パルスはマイクロ制御器（１００）によって受信され、これは再び作動機構が第１及び第２電気パルスに応答して少なくとも一つのアナログ時間表示子を時計方向または反時計方向に回転させるようにする。このような特定の実施形態に利用しうる回転竜芯組立体は、米国特許第６，２０３，１９０号に開示されており、そのような米国特許の主題は、全体が記述されたように本願で参照として含まれる。
【００３４】
さらに別の好ましい実施形態においては、ウェアラブル電子装置（１０）は先に開示したような受信機を含んでもよいが、必ず含む必要はない。むしろ、制御器（１００）自体が、現在時刻情報を保持してもよく、その現在時刻情報を現在時刻としてデジタル表示部によってデジタルディスプレイ上にディスプレイされるように提供してもよい。それにもかかわらず、前述した実施形態と同様に、そのような装置（１０）は、アナログ時間表示子がデジタル表示子と一致するまで表示子回転装置が、同じように、少なくとも一つのアナログ時間表示子を回転させる。従って、そして類似の方式で、少なくとも一つのアナログ時間表示子とデジタル表示子の一致は、少なくとも一つのアナログ時間表示子が正確な時刻情報を示しているということを示す。
【００３５】
即ち、このような別の好ましい実施形態において、表示子回転装置は、同様に、回転竜芯（６０）、及び前述したようにさらに図４で例として図示されたように同様に回転竜芯に動作可能に結合される少なくとも一つの回転ギアを含む。代わりに（または付加的に）、表示子回転装置は作動機構及び設定機構の機能の組合せを利用することができ、これは前述したように少なくとも一つのプッシャーまたは回転竜芯組立体を同様に含むことができる。
【００３６】
次に、本発明の他の好ましい実施形態によって構成されたウェアラブル電子装置に関する図８及び図９を参照する。例えば、図８及び図９は、デジタルディスプレイ組立体がアナログディスプレイ組立体の下に設けられた、本発明の他の好ましい実施形態によって構成された、全体的に１０’で表された、ウェアラブル電子装置を図示する。
【００３７】
このような実施形態において、電子ディスプレイ（１０’）は、例えば特に限定されないが、ＬＣＤまたはＯＬＥＤタイプであることが好ましく、デジタルディスプレイ（１２４）を含む、全体的に１２０で表された、デジタルディスプレイ組立体を含む。全体的に１３０で表された、アナログディスプレイ組立体はケースまたはハウジング（１３２）内に設けられる。全体的に１３４で表された、アナログディスプレイはアナログディスプレイ組立体（１３０）の部品である。このような好ましい実施形態のアナログディスプレイ（１３４）は、また前述した第１のタイプ、即ち、石英アナログタイプの時計の部品である。
【００３８】
デジタルディスプレイ（１２４）がアナログディスプレイ（１３４）（例えば、時計の針（１３６、１３８）の下に配置される実施形態において、アナログディスプレイを利用して時間情報を容易にディスプレイする一方、本発明による時計の針の同期化のためにいつでもデジタルディスプレイをさらにスイッチオン及びオフできることが好ましくて可能である。
【００３９】
例えば、そして図９を参照すると、第１スイッチング状態でデジタルディスプレイ時計の針（１２６Ａ、１２６Ｂ）が見えないようにそして第２スイッチング状態でデジタルディスプレイ（１２４）がさらに第２スイッチング状態で少なくとも一つのデジタル表示子（例えば、デジタル時針及び／又は分針（１２６Ａ、１２６Ｂ））をディスプレイできるように、デジタルディスプレイ組立体（１２０）が配列される。
【００４０】
同様に、マイクロ制御器（１００）によって、デジタルディスプレイ（１２４）を第１状態から第２状態にそして反対に切り替えることができ、同様に従来のコネクタによって適切な制御電圧及び信号伝達をデジタルディスプレイ（１２４）に供給することによってデジタルディスプレイ（１２４）に動作可能に結合することができる。
【００４１】
同様に、デジタルディスプレイ（１２４）は、第２スイッチング状態で拡散または反射タイプになる液晶ディスプレイセルを含む。このような実施形態の例としては、同様に、デジタルディスプレイ（１２４）がツイスティッドネマチックタイプである液晶セルが挙げられる。同様に、当然に、第１スイッチング状態でデジタルディスプレイ（１２４）のデジタル表示子がダイヤル（１３５）を通して見えなければ、そして第２スイッチング状態でデジタルディスプレイ（１２４）のデジタル表示子（１２６Ａ、１２６Ｂ）がダイヤル（１３５）を通して見えなければ、デジタルディスプレイ（１２４）は他のタイプになり得る。ここでまた、デジタルディスプレイ（１２４）上のデジタル時間のディスプレイを制御するためにマイクロ制御器（１００）をプログラミングして配置する方法は、当技術分野ではよく知られている。
【００４２】
さらに他の実施形態では、図８及び図９のダイヤル自体がデジタルディスプレイであれば、少なくとも一つのアナログ時間表示子が少なくとも一つのデジタル表示子と一致するとき、少なくとも一つのアナログ時間表示子は少なくとも一つのデジタル表示子上に重なって表示される。図８の実施形態の場合、デジタルディスプレイ（１２４）はダイヤル（１３５）である。
【００４３】
電子装置（１０’）の実施形態では、アナログディスプレイ組立体（１３０）はアナログディスプレイ組立体（３０）の構成と同様に構成される。同様に、マイクロ制御器（１００）は電子装置（１０’）のマイクロ制御器と同一であり、ギア、モーター、及びその他の機能も同様である。従って、図３〜図７の特徴も同様に装置（１０’）のこのような実施形態に適用できるということが理解できるはずである。
【００４４】
ウェアラブル電子装置（１０’）は同様に、受信機（５０）と同一に動作し、構成され、機能する受信機（１５０）を含んでもよい。マイクロ制御器（１００）はまた同一の方式で受信機（１５０）に動作可能に結合される。そして最後に、ウェアラブル電子装置（１０’）は、装置（１０）と関連して先に開示したように、多数の表示子回転装置のうち少なくとも一つを含むことが好ましい。即ち、ウェアラブル電子装置（１０’）は回転竜芯（６０）及び前述したように回転竜芯（６０）に動作可能に結合された同一の回転ギアを含んでもよく、及び／又は同様に、また前述したように、回転竜芯組立体の特徴部またはプッシャーのような、作動機構（例えば、ステッパーモーター（Ｍ１及び／又はＭ２）及び設定機構の組合せを含んでもよい。そして最後に、前述したすべてについて、ウェアラブル電子装置（１０’）で提供されるマイクロ制御器（１００）自体が現在時刻情報を保持してもよく、現在時刻としてデジタルディスプレイ上のデジタル表示部によってディスプレイされる現在時刻を提供してもよい。
本発明の機能及び特徴をそれぞれ図示する図１０〜図１３を参照しながら、本発明の動作をこれから開示する。
【００４５】
より具体的には、図１０は、受信機（５０）を通じてまたはマイクロ制御器（１００）自体を通じて装置（１０）が受信した信号を基に現在時刻をディスプレイする、デジタル表示子（２６Ａ、２６Ｂ）を明確に表示したウェアラブル電子装置（１０）を図示したものである。同様に、図１１は、受信機（１５０）を通じてまたはマイクロ制御器（１００）自体を通じて装置（１０’）が受信した信号を基に現在時刻をディスプレイする、デジタル表示子（１２６Ａ、１２６Ｂ）を明確に表示したウェアラブル電子装置（１０’）を図示したものである。
【００４６】
本発明の説明のために、“正確な時刻”が１１：０９であると仮定する。図１０及び図１１の例では、それぞれのアナログ時計の針（３６、３８）（１３６、１３８）が１０：０９を表示ことをさらに確認することができる。その理由をいくつか述べると、装置（１０、１０’）が新たな時間帯（ｔｉｍｅ  ｚｏｎｅ）に進入すること、前述したようにユーザーが時計の針（３６、３８）（１３６、１３８）を前もって手動で調整したこと、または電池交替により時間の表示が止められたことなどの、多くの理由の結果であり得る。
【００４７】
しかしながら、示してある本発明の表示子回転装置について、手動による設定のためにギアリング組立体からの分離が誘発される回転竜芯の形態であっても、プッシャーまたはパルス発生タイプ回転竜芯の形態について前述した設定機構の実施形態を用いることによっても、ユーザーは、アナログ時計の針の回転を図示するそれぞれの図面において矢印（“Ｘ”）を参照することにより、図１０、図１１から図１２、図１３へそれぞれ移動していることを示すように、デジタル表示子の時計の針と一致するように（即ち、同期化されるように）アナログ時計の針（３６、３８）（１３６、１３８）を容易かつ正確に調整することができる。このようにして、アナログ時計の針は正確な時刻に同期化される。
【００４８】
好ましい実施形態では、モーターは適切な場合に両方向ステッパーモーターであってもよく、それによって両方向に回転することができ、このような方式で機能的に動作するための許容可能なステッパーモーターの構成を幅広く利用することができて当業者の理解が容易となる。好適なダイヤルもまた当業者の範囲に含まれる。当業者は、ディスプレイ時計の針の数を変更することで必要なステッパーモーターの数を変更することができることを認識し、その全ては本発明及び開示内容の範囲内に含まれ、本願で参照により含まれた出願で開示されている。
【００４９】
たとえ好ましい実施形態において、全てのタイミング及びディスプレイ機能がマイクロ制御器（１００）によって制御されるように高度に統合されたマイクロ制御器（１００）が開示されていても、別の実施形態は、当業者が理解することができるように、計時機能（ｔｉｍｅｋｅｅｐｉｎｇ  ｆｕｎｃｔｉｏｎ）をこのような処理及び他の機能から分離することができる。
【００５０】
当業者がさらに理解することができるように、デジタル表示子及び／又はディスプレイ時計の針の位置、配置、及び／又は大きさは単に、例えば、ピニオンの位置及びそれぞれの下位組立体の位置によって定められ、ゆえに本願の図示内容は例であり、限定するものではない。
【００５１】
ディスプレイ時計の針の好ましいディスプレイ回転または移動を提供するためのギアリング比は、ディスプレイ表示子の希望するまたは要求される増分的回転による設計上の選択事項のうち一つであり得る。従って、任意のギアリング組立体におけるホイールの数は本願で開示された数より多くても少なくてもよく、実際に、意図する機能のための、また一般的な設計者に知られた数多くの基準に基づく、設計上の選択事項のうち一つである。
【００５２】
従って、本発明が、好ましく石英アナログタイプの、ウェアラブル電子装置内のアナログ表示子の時計の針を同期化するための改善された方法及び構成を提供するということ、そして本発明が、使用が容易であって従来技術の任意タイプの時計の針の同期化装置よりユーザーに歓迎される改善されたユーザーインターフェースを提供するということを理解することができる。
【００５３】
前述のように、本発明は、従来の時間情報だけでなく、幅広いパラメータを同期化することに適用できる。前述のように、心拍数、ムーンフェーズ及び高度表示は、本願で開示された発明によって装置上で同期化することができる情報の一部に過ぎない。従って、本発明はさらに（ｉ）少なくとも一つのアナログ時間表示子による情報の表示のためのアナログディスプレイ、及び（ｉｉ）デジタルディスプレイ上で少なくとも正確な及び／又は現在の情報をディスプレイするための少なくとも一つのデジタル表示子を有するデジタルディスプレイと、遠隔供給源から、少なくとも、現在の及び／又は正確な情報を示す正確な及び／又は現在の情報データを受信するための受信機と、受信機に動作可能に結合された制御器であって、制御器は遠隔供給源から受信された現在の及び／又は正確な情報をプロセスして現在の及び／又は正確な情報としてデジタルディスプレイ上で少なくとも一つのデジタル表示子によってディスプレイされるように現在の及び／又は正確な情報データを提供する、制御器と、少なくとも一つのアナログ表示子が少なくとも一つのデジタル表示子と一致するまで、少なくとも一つのアナログ表示子を回転させるためのアナログ表示子回転装置と、を含み、それによって少なくとも一つのアナログ表示子と少なくとも一つのデジタル表示子の一致が、少なくとも一つのアナログ表示子が現在の及び／又は正確な情報と同期化されたことを示すウェアラブル電子装置に適用されることができる。
【００５４】
さらに他の実施形態で、ウェアラブル電子装置は（ｉ）少なくとも一つのアナログ表示子による情報のディスプレイのためのアナログディスプレイ、及び（ｉｉ）デジタルディスプレイ上で少なくとも正確な及び／又は現在の情報をディスプレイするための少なくとも一つのデジタル表示子を有するデジタルディスプレイと、正確な及び／又は現在の情報を維持して正確な及び／又は現在の情報としてデジタルディスプレイ上で少なくとも一つのデジタル表示子によってディスプレイされるように正確な及び／又は現在の情報を提供する制御器と、少なくとも一つのアナログ表示子が少なくとも一つのデジタル表示子と一致するまで、少なくとも一つのアナログ表示子を回転させるためのアナログ表示子回転装置と、を含んでもよく、それによって少なくとも一つのアナログ表示子と少なくとも一つのデジタル表示子の一致が、少なくとも一つのアナログ表示子が正確な及び／又は現在の情報と同期化されたことを示す。
【００５５】
そのような付加的な実施形態で、アナログ表示子は、先に開示され図示された通常の時計の針ではなく、リング、時計の針、月のイメージ、または他の機械的表示子を含むようにすることができる。同様に、対応するデジタル表示子は、容易に設定することができる。従って、本発明は、本願で開示されたような血圧、心拍数高度及び／又はムーンフェーズのような情報（例えば、パラメータ）及び／又は日付、曜日または他のディスプレイ可能な時間に関連したパラメータのような他の時間情報の正確な及び／又は現在の同期化に容易に寄与するものである。
【００５６】
ゆえに、本願で提供された図面は、前述した付加的な実施形態に同様に適用することができる。例えば、心拍数及び／又は高度に適用できるディスプレイと関連して、表示される目盛りまたはパラメータを収容するためにダイヤルまたはベゼル上の表面表示だけが変更される必要があり、そのようなパラメータをディスプレイする基本的な機能は、例えば前述した米国特許第７，１１３，４５０号の内容から、当業者によって理解されるはずである。例えば、ここに示す図１０〜図１３のダイヤル／ベゼルの表面表示もそのような実施形態を含むものと理解すべきである。同様に、ムーンフェーズのディスプレイと共に、米国出願第１３／７８２，０４７号で開示されたような、時計の針または他のリングを用いてもよく、そのような米国出願の図面は全体が開示されたように本願で参照として含まれる。本発明の機能、長所及び目的を達成するために、そのようなディスプレイのデジタル表現を提供することは同様に当業者の範囲に含まれる。この方式では、アナログディスプレイ表示子（例えば、３６、３８）は出願第１３／７８２，０４７号のディスプレイ表示子によって代替されることができ、表示子（２６Ａ、２６Ｂ）のデジタル表現はそのデジタル表現によって同様に代替してもよい。
【００５７】
図１〜図１３の実施形態と関連して前述した他の特徴、選択事項、及び機能は“一日の時間”ではなくてもよい情報と関連して前述した実施形態に同様に適用してもよい。
【００５８】
従って、前述の説明から明らかな範囲において、前述した目的が効率的に達成できることが理解できるであろうし、また、本発明の思想及び範囲から離れない限度で前述した構成について所定の変化がなされうるため、前述の説明に含まれたり添付図面に図示されたりする全てのものは例示的にそして非制限的な意味に解釈されなければならない。
【００５９】
以下の請求項は、本願で説明された本発明の一般的でかつ具体的な特徴の全てを含むためのものであって、そして言語の問題として本発明の範囲に関する全ての陳述がその間に含まれることができるということをさらに理解しなければならない。
【００６０】
明らかに、本発明は非常に多様な装置及び用途に適用することができる。即ち、以下の実施形態が石英アナログ時計を参照して開示されたが、本発明の範囲はそのようなものに制限されない。
【図１】
0006475396.tif 000002
【図２】
0006475396.tif 000003
【図３】
0006475396.tif 000004
【図４】
0006475396.tif 000005
【図５】
0006475396.tif 000006
【図６】
0006475396.tif 000007
【図７】
0006475396.tif 000008
【図８】
0006475396.tif 000009
【図９】
0006475396.tif 000010
【図１０】
0006475396.tif 000011
【図１１】
0006475396.tif 000012
【図１２】
0006475396.tif 000013
【図１３】
0006475396.tif 000014
【図１４】
0006475396.tif 000015